(57)【特許請求の範囲】
【請求項１】
アラミド繊維、ポリアリレート繊維及びＰＢＯ繊維の１つである耐摩耗性の繊維からなる耐摩耗繊維部と前記耐摩耗性の繊維であって導電性を有する繊維が編みあげられることにより構成された導電性繊維部とを有し、前記耐摩耗繊維部の表面と前記導電性繊維部の表面とが同一平面を構成する繊維シートが、ワイヤーハーネス上に寿司巻きされて、前記ワイヤーハーネスの周囲少なくとも１周を前記導電性繊維部により覆い、且つ、当該導電性繊維部の周囲少なくとも１周を前記耐摩耗性繊維部により覆ってなる
ことを特徴とするワイヤーハーネスのシールド付外装。
【発明の詳細な説明】
【技術分野】
【０００１】
本発明は、ワイヤーハーネスのシールド付外装に関する。
【背景技術】
【０００２】
従来、自動車の床下等に配置されるワイヤーハーネスは、車両の振動に起因する摩耗や飛石に対応すべく、コルゲートチューブが被せられ保護されている。また、コルゲートチューブにはメッキ加工が施され、シールド機能を有したものも存在する（特許文献１参照）。
【先行技術文献】
【特許文献】
【０００３】
【特許文献１】特開平９−２９８３８２号公報
【発明の概要】
【発明が解決しようとする課題】
【０００４】
しかし、従来においてワイヤーハーネスはコルゲートチューブにより保護されているため、車両振動による電線がコルゲートチューブに接触したり、コルゲートチューブ自体が車体等に接触したりすることによって、異音の原因となってしまう。
【０００５】
本発明はこのような従来の課題を解決するためになされたものであり、その発明の目的とするところは、シールド機能を有しつつ、ワイヤーハーネスを保護すると共に、異音の発生を抑制することが可能なワイヤーハーネスのシールド付外装を提供することにある。
【課題を解決するための手段】
【０００６】
本発明のワイヤーハーネスのシールド付外装は、アラミド繊維、ポリアリレート繊維及びＰＢＯ繊維の１つである耐摩耗性の繊維からなる耐摩耗繊維部と前記耐摩耗性の繊維であって導電性を有する繊維が編みあげられることにより構成された導電性繊維部とを有し、前記耐摩耗繊維部の表面と前記導電性繊維部の表面とが同一平面を構成する繊維シートが、ワイヤーハーネス上に寿司巻きされて、前記ワイヤーハーネスの周囲少なくとも１周を前記導電性繊維部により覆い、且つ、当該導電性繊維部の周囲少なくとも１周を前記耐摩耗性繊維部により覆ってなることを特徴とする。
【０００７】
このワイヤーハーネスのシールド付外装によれば、繊維シートがワイヤーハーネス上に寿司巻きされているため、シールド付外装がワイヤーハーネスや車体等と接触したとしても、繊維が接触することとなり異音の発生を抑制することができる。特に、ワイヤーハーネスの周囲少なくとも１周を導電性繊維部により覆っているため、シールド機能を有しつつ、さらに導電性繊維部の周囲少なくとも１周を耐摩耗性繊維部により覆っているため、摩耗や飛石からワイヤーハーネスを保護することができる。従って、シールド機能を有しつつ、ワイヤーハーネスを保護すると共に、異音の発生を抑制することができる。
【０００８】
また、本発明のワイヤーハーネスのシールド付外装において、繊維シートは、耐摩耗性の繊維の一部にメッキ処理が施され、当該メッキ処理が施されていない部位を耐摩耗繊維部とし、当該メッキ処理が施された部位を導電性繊維部としていることが好ましい。
【０００９】
このワイヤーハーネスのシールド付外装によれば、繊維シートは、耐摩耗性の繊維の一部にメッキ処理が施され、当該メッキ処理が施されていない部位を耐摩耗繊維部とし、当該メッキ処理が施された部位を導電性繊維部としている。このため、まず耐摩耗性の繊維を編み上げ、編み上げたシートの一部にメッキ処理を施すことで、繊維シートを作成することができ、簡易に繊維シートを作成することができる。また、耐摩耗繊維部と導電性繊維部とを別々に作成してつなぎ合わせた場合と比較して、耐摩耗繊維部と導電性繊維部との間で破断等が生じ難い繊維シートを提供することができる。
【発明の効果】
【００１０】
本発明によれば、シールド機能を有しつつ、ワイヤーハーネスを保護すると共に、異音の発生を抑制することが可能なワイヤーハーネスのシールド付外装を提供することができる。
【図面の簡単な説明】
【００１１】
【図１】本実施形態に係るワイヤーハーネスのシールド付外装として用いられる繊維シートの概略構成図である。
【図２】本実施形態に係るシールド付外装１を示す断面図である。
【発明を実施するための形態】
【００１２】
以下、本発明に係るワイヤーハーネスのシールド付外装の実施形態について説明する。図１は、本実施形態に係るワイヤーハーネスのシールド付外装として用いられる繊維シート１０の概略構成図である。
【００１３】
図１に示すように、ワイヤーハーネスのシールド付外装１は、耐摩耗性繊維シート（耐摩耗性繊維部）２０と、導電性繊維シート（導電性繊維部）３０とを有し、これらが１枚の繊維シート１０として構成されている。
【００１４】
耐摩耗性繊維シート２０は、耐摩耗性の繊維が編みあげられることにより構成された繊維シートである。ここで、耐摩耗性の繊維とは、ポリエステル、ナイロン（登録商標）、アラミド、ポリアリレート及びＰＢＯなどの繊維である。
【００１５】
導電性繊維シート３０は、導電性を有する繊維が編みあげられることにより構成された繊維シートである。ここで、導電性を有する繊維とは、炭素繊維、金属フィラーを有した樹脂繊維、及びポリエステルやナイロン（登録商標）にメッキを施したものなどが該当する。さらには、アラミド繊維、ポリアリレート繊維、及びＰＢＯ繊維なども該当する。
【００１６】
図２は、本実施形態に係るシールド付外装１を示す断面図である。図２に示すように、シールド付外装１は、繊維シート１０がワイヤーハーネスＷ上に寿司巻きされた状態で用いられる。このとき、繊維シート１０は、ワイヤーハーネスＷの周囲少なくとも１周を導電性繊維シート３０により覆うように、且つ、導電性繊維シート３０の周囲少なくとも１周を耐摩耗性繊維シート２０により覆うように寿司巻きされる。
【００１７】
このように、繊維シート１０がワイヤーハーネスＷ上に寿司巻きされているため、シールド付外装１がワイヤーハーネスＷや車体等と接触したとしても、繊維が接触することとなり異音の発生を抑制することとなる。
【００１８】
特に、ワイヤーハーネスＷの周囲少なくとも１周を導電性繊維シート３０により覆っているため、シールド機能を有しつつ、さらに導電性繊維シート３０の周囲少なくとも１周を耐摩耗性繊維シート２０により覆っているため、摩耗や飛石からワイヤーハーネスＷを保護することができる。
【００１９】
次に、本実施形態に係るシールド付外装１として用いられる繊維シート１０の製造方法について説明する。まず、ポリエステル、ナイロン（登録商標）、アラミド、ポリアリレート及びＰＢＯなどの耐摩耗性の繊維を用意し、これを縦糸や横糸として編み上げていく。これにより、全体が耐摩耗性を有したシートを作成することができる。
【００２０】
次いで、全体が耐摩耗性を有したシートの一部にメッキ処理を施す。これにより、メッキ処理が施された部位が導電性繊維シート３０となり、メッキ処理が施されていない部位が耐摩耗性繊維シート２０となる。
【００２１】
このようにして、本実施形態に係るワイヤーハーネスＷのシールド付外装１によれば、繊維シート１０がワイヤーハーネスＷ上に寿司巻きされているため、シールド付外装１がワイヤーハーネスＷや車体等と接触したとしても、繊維が接触することとなり異音の発生を抑制することができる。特に、ワイヤーハーネスＷの周囲少なくとも１周を導電性繊維シート３０により覆っているため、シールド機能を有しつつ、さらに導電性繊維シート３０の周囲少なくとも１周を耐摩耗性繊維シート２０により覆っているため、摩耗や飛石からワイヤーハーネスＷを保護することができる。従って、シールド機能を有しつつ、ワイヤーハーネスＷを保護すると共に、異音の発生を抑制することができる。
【００２２】
また、繊維シート１０は、耐摩耗性の繊維の一部にメッキ処理が施され、当該メッキ処理が施されていない部位を耐摩耗性繊維シート２０とし、当該メッキ処理が施された部位を導電性繊維シート３０としている。このため、まず耐摩耗性の繊維を編み上げ、編み上げたシートの一部にメッキ処理を施すことで、繊維シート１０を作成することができ、簡易に繊維シート１０を作成することができる。また、耐摩耗性繊維シート２０と導電性繊維シート３０とを別々に作成してつなぎ合わせた場合と比較して、耐摩耗性繊維シート２０と導電性繊維シート３０との間で破断等が生じ難い繊維シート１０を提供することができる。
【００２３】
以上、実施形態に基づき本発明を説明したが、本発明は上記実施形態に限られるものではなく、本発明の趣旨を逸脱しない範囲で、変更を加えてもよい。
【００２４】
例えば、上記実施形態においてシールド付外装１として用いられる繊維シート１０は、耐摩耗性の繊維の一部にメッキ処理が施され、当該メッキ処理が施されていない部位を耐摩耗性繊維シート２０とし、当該メッキ処理が施された部位を導電性繊維シート３０としている。しかし、これに限らず、耐摩耗性繊維シート２０と導電性繊維シート３０とを別々に作成し、これらを縫い合わせる等により一体化することにより、製造してもよい。
【符号の説明】
【００２５】
１  シールド付外装
１０  耐摩耗性繊維シート
２０  導電性繊維シート
【図１】
0005794768.tif 000002
【図２】
0005794768.tif 000003